(57)【要約】【課題】入口端近くの配管セグメントと出口端近くの配管セグメントとの間で熱伝導が行われるために起きる熱エネルギーの損失を低減可能な熱伝導シリンダーを提供する。【解決手段】熱伝導シリンダーは、蓄熱体５００の中に設置される。Ｕ型螺旋状配管８００の第１流体出入口端１０１と第２流体出入口端１０２との間にある螺旋配管セグメントは、螺旋状になっており、柱状熱伝導体３００の軸方向に沿って、柱状熱伝導体３００の辺縁近くに分布している。Ｕ型螺旋状管路８００とＵ型螺旋状管路８００の中心管路７００との間には、断熱構成４００が設けられている。【選択図】図１２
2011094952.tif 000002
【特許請求の範囲】
【請求項１】
浅層地表または池、湖、川、海洋等の自然蓄熱体または人工的に設置された固相、または気相、または液相物体により構成された蓄熱体（５００）の中に設置し、またＵ型コアパイプ及びループパイプの流体入口端及び／または出口端の配管セグメントを直接断熱材料により構成することにより、または二者の間に断熱構成を設置することにより、配管に温度差がある熱伝導流体が流れるとき、同側に隣り合っている入口端の配管セグメントと出口端の配管セグメントとの間に熱伝導が行われることにより起きる熱エネルギーの損失を低減する熱伝導シリンダーであって、
当該熱伝導シリンダーの各Ｕ型配管（１００）の中に、
１）液相流体、
２）気相流体、
３）液相から気相に変化する流体、
４）気相から液相に変化する流体、
のうち少なくとも一種の熱伝導流体（１１１）が通過することを特徴とする熱伝導シリンダー。
【請求項２】
柱状熱伝導体の中に複数の輻射状に配列するＵ型配管を設置し、またその軸芯の近くに集中して同じ流向の配管群の外側に断熱構成を設置し、
Ｕ型配管（１００）は、熱伝導流体（１１１）を通過させるＵ型管状体により形成され、熱伝導流体（１１１）をその中に通過させ、Ｕ型配管（１００）を固相物体または膠状物体により構成された柱状熱伝導体（３００）に設置し、各Ｕ型配管（１００）は第１流体出入口端（１０１）及び第２流体出入口端（１０２）を持ち、また第１流体出入口端（１０１）の近くの配管セグメントを柱状熱伝導体（３００）のコアに集中して隣り合うように設置し、かつ第２流体出入口端（１０２）の近くの配管セグメントは、柱状熱伝導体（３００）の軸方向外側に沿って、辺縁の近く設置し、また輻射状に分布設置し、
柱状熱伝導体（３００）は、熱伝導材料により構成され、かつ円形、または橢円形、または正方形、または長方形、または星形等の各種幾何形状の断面である柱状に構成され、かつＵ型配管（１００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、柱状熱伝導体（３００）の軸芯に集中して隣り合うように設置する各Ｕ型配管（１００）の第１流体出入口端（１０１）の近くの配管セグメントと各Ｕ型配管の第２流体出入口端（１０２）の近くの配管セグメントとの間に設置され、または第１流体出入口端（１０１）の近くの配管セグメントを直接または断熱材料または断熱材の外被材により製作し、
上述の断熱構成を通して、同一Ｕ型配管（１００）の同じ側にある第１流体出入口端（１０１）の近くの配管セグメントと第２流体出入口端（１０２）の配管セグメントとの間に熱伝導が行われるために起きる熱エネルギーの損失を低減することを特徴とする請求項１に記載の熱伝導シリンダー。
【請求項３】
複数のＵ型配管を柱状熱伝導体（３００）のコアへ通じる所に設置し、
相対的に大きな径の配管により共通配管（２００）の第１流体出入口端（１１０１）を構成し、
熱伝導流体（１１１）を通過する少なくとも二個のＵ型管状体（１００）により形成されることができ、熱伝導流体（１１１）をその中に通過させ、各Ｕ型配管（１００）を固相物体、または膠状物体により構成された柱状熱伝導体（３００）に設置し、各Ｕ型配管（１００）を共同して柱状熱伝導体（３００）の軸芯へ通じる所に設置し、相対的に大きな径の配管により構成された共通配管（２００）の第１流体出入口端（１１０１）を構成し、及び柱状熱伝導体（３００）の軸方向の周辺に沿って、輻射状に第２流体出入口端（１０２）及び配管セグメントを設置し、
上述の共通配管（２００）の第１流体出入口端（１１０１）に柱状熱伝導体（３００）の軸芯を設置し、また各Ｕ型配管（１００）と第２流体出入口端（１０２）の近くの配管セグメントとの間に断熱装置（４００）を設置し、かつ各組Ｕ型配管（１００）の第２流体出入口端（１０２）の近くの配管セグメントは、別々に柱状熱伝導体（３００）の軸方向の辺縁の近くに分布し、
柱状熱伝導体（３００）は、熱伝導材料により構成され、かつ円形、または橢円形、または正方形、または長方形、または星形等の各種幾何形状の断面である柱状に構成され、かつＵ型配管（１００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、Ｕ型配管（１００）の第２流体出入口端（１０２）の近くの配管セグメントと共通配管（２００）の第１流体出入口端（１１０１）の近くの配管セグメントとの間に設置し、または第１流体出入口端（１０１）の近くの配管セグメントを直接または断熱材料または断熱材の外被材により製作し、
上述の構成を通して、共通配管（２００）の第１流体出入口端（１１０１）の配管セグメントと第２流体出入口端（１０２）の配管セグメントとの間に、熱伝導が行われるために起きる熱エネルギーの損失を低減することを特徴とする請求項１に記載の熱伝導シリンダー。
【請求項４】
Ｕ型波状配管（６００）の第１流体出入口端（１０１）と第２流体出入口端（１０２）との間にある配管セグメントが波状であり、柱状熱伝導体（３００）の軸方向に沿って、辺縁の近くに分布し、
Ｕ型波状配管（６００）は、熱伝導流体（１１１）を通過するＵ型波状管体により形成され、熱伝導流体（１１１）をその中に通過させ、固相物体、または膠状物体により構成された柱状熱伝導体（３００）に設置され、波状になって、柱状熱伝導体（３００）の軸方向の辺縁の近くに上下に波状に彎曲するように環設され、
Ｕ型波状配管（６００）の二端は互いに連通する第１流体出入口端（１０１）及び第２流体出入口端（１０２）を持つことを特徴とし、
柱状熱伝導体（３００）は、熱伝導材料により構成され、かつ円形、または橢円形、または正方形、または長方形、または星形等の各種幾何形状の断面である柱状に構成され、かつＵ型波状配管（６００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、柱状熱伝導体（３００）の軸芯に集中して隣り合うように設置するＵ型波状配管（６００）の第１流体出入口端（１０１）の近くの配管セグメントとＵ型波状配管（６００）の第２流体出入口端（１０２）の近くの配管セグメントとの間に設置され、または第１流体出入口端（１０１）の近くの配管セグメントを直接または断熱材料または断熱材の外被材により製作し、
上述の断熱構成を通して、同一Ｕ型波状配管（６００）の同じ側にある第１流体出入口端（１０１）の近くの配管セグメントと第２流体出入口端（１０２）の配管セグメントとの間に熱伝導が行われるために起きる熱エネルギーの損失を低減するとともに、
上述の断熱構成が大幅に減らされて設置される同一Ｕ型波状配管（６００）同側の近くの第１流体出入口端（１０１）の配管セグメントと第２流体出入口端（１０２）の配管セグメントとの間で起きる熱伝導による熱エネルギーの損失を低減することを特徴とする請求項１に記載の熱伝導シリンダー。
【請求項５】
Ｕ型波状配管（６００）の第１流体出入口端（１０１）の配管セグメントを柱状熱伝導体（３００）中心の近くに設置し、第２流体出入口端（１０２）の間にある配管セグメントを柱状熱伝導体（３００）の周辺の近くに設置し、二つの配管セグメントの間のＵ型波状配管（６００）が波状になって、柱状熱伝導体（３００）に沿って、軸方向の辺縁の近くに分布し、
Ｕ型波状配管（６００）は、熱伝導流体（１１１）を通過するＵ型波状管体により形成され、熱伝導流体（１１１）をその中に通過させ、固相物体、または膠状物体により構成された柱状熱伝導体（３００）に設置され、波状であり、柱状熱伝導体（３００）の軸方向の辺縁の近くに上下に波状に彎曲するように環設され、
Ｕ型波状配管（６００）の二端は互いに連通する第１流体出入口端（１０１）及び第２流体出入口端（１０２）を持ち、その中の第１流体出入口端（１０１）の配管セグメントは、柱状熱伝導体（３００）中心の近くに設置され、第２流体出入口端（１０２）との間にある配管セグメントは、柱状熱伝導体（３００）周辺の近くに設置され、二つの配管セグメントの間のＵ型波状配管（６００）が波状になって、柱状熱伝導体（３００）に沿って、軸方向の辺縁の近くにに分布することを特徴とし、
柱状熱伝導体（３００）は、熱伝導材料により構成され、かつ円形、または橢円形、または正方形、または長方形、または星形等の各種幾何形状の断面である柱状に構成され、かつＵ型波状配管（６００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、柱状熱伝導体（３００）の軸芯に集中して隣り合うように設置するＵ型波状配管（６００）の第１流体出入口端（１０１）の近くの配管セグメントとＵ型波状配管（６００）の第２流体出入口端（１０２）の近くの配管セグメントとの間に設置され、または第１流体出入口端（１０１）の近くの配管セグメントを直接または断熱材料または断熱材の外被材により製作し、
上述の断熱構成を通して、同一Ｕ型波状配管（６００）の同じ側にある第１流体出入口端（１０１）の近くの配管セグメントと第２流体出入口端（１０２）の配管セグメントとの間に熱伝導が行われるために起きる熱エネルギーの損失を低減することを特徴とする請求項１に記載の熱伝導シリンダー。
【請求項６】
Ｕ型螺旋状配管の第１流体出入口端（１０１）と第２流体出入口端（１０２）との間にある螺旋配管セグメントが螺旋状になって、柱状熱伝導体（３００）の軸方向に沿って、辺縁の近くに分布し、Ｕ型螺旋状配管（８００）、柱状熱伝導体（３００）、断熱装置（４００）を備え、
Ｕ型螺旋状配管（８００）は、熱伝導流体（１１１）を通過するＵ型螺旋状管体により形成され、熱伝導流体（１１１）をその中に通過させ、固相物体、または膠状物体により構成された柱状熱伝導体（３００）に設置され、螺旋状になって、柱状熱伝導体（３００）の軸方向の辺縁の近くに環設され、
Ｕ型螺旋状配管（８００）の二端は互いに連通する第１流体出入口端（１０１）及び第２流体出入口端（１０２）を持ち、その中の第１流体出入口端（１０１）の配管セグメントは、螺旋管構造の中心上端に設置され、かつＵ型螺旋状配管（８００）の中心配管（７００）を経て、直接Ｕ型螺旋状配管（８００）の底部へ通じ、第２流体出入口端（１０２）は、Ｕ型螺旋状配管（８００）が螺旋状になって、上へ向かってよじ登る上端に設置され、
柱状熱伝導体（３００）は、熱伝導材料により構成され、かつ円形、または橢円形、または正方形、または長方形、または星形等の各種幾何形状の断面である柱状に構成され、かつＵ型螺旋状配管（８００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、
Ｕ型螺旋状配管（８００）を柱状熱伝導体（３００）の軸芯に設置し、上へ向かって第１流体出入口端（１０１）のＵ型螺旋状配管の中心配管（７００）の配管セグメントへ通じ、直接断熱材料または断熱材の外被材または断熱材料または断熱材の外被材により製作可能で、または柱状熱伝導体（３００）の近くの辺縁に沿って、螺旋状になって、上方へよじ登り、流体第二出入口端（１０２）のＵ型螺旋状管路（８００）へ通じ、Ｕ型螺旋状管路の中心管路（７００）の管路段との間に断熱構成（４００）を設置し、
上述の断熱構成（４００）を通して、同一Ｕ型螺旋状管路（８００）の底部中心に設置し、上へ向かって流体第一出入口端（１０１）のＵ型螺旋状管路の中心管路（７００）へ通じ、二者の間に熱伝導が行われるために起きる熱エネルギーの損失を低減することを特徴とする請求項１に記載の熱伝導シリンダー。
【発明の詳細な説明】
【技術分野】
【０００１】
本発明は、温度差のある熱伝導流体が流れる熱伝導シリンダーに関する。
【背景技術】
【０００２】
従来のＵ型配管熱交換装置では、Ｕ型配管装置の流体入口端の配管セグメントと流体出口端の配管セグメントとは、同側に隣り合って設置されている。
【発明の概要】
【発明が解決しようとする課題】
【０００３】
このため、従来のＵ型配管熱交換装置のＵ型配管装置では、同側に隣り合っている流体入口端の配管セグメントと流体出口端の配管セグメントとの間に温度差がある流体が流れると、常に近すぎるために、温度差の熱伝導が行われてしまい、熱エネルギーが損失する。
本発明の目的は、入口端近くの配管セグメントと出口端近くの配管セグメントとの間に熱伝導が行われるために起きる熱エネルギーの損失を低減可能な熱伝導シリンダーを提供することにある。
【課題を解決するための手段】
【０００４】
本発明の熱伝導シリンダーは、一種の輻射状に熱エネルギーを互いに伝送するＵ型管である。具体的には、輻射状に熱エネルギーを互いに伝送するＵ型管のＵ型流体配管入口端及び／または出口端の配管セグメントを直接断熱材料により構成し、または二者の間に断熱構成を設置し、更に熱伝導材料により製作した熱伝導シリンダーを設置することにより構成される。
これにより、本発明の熱伝導シリンダーは、同側に隣り合って、温度差がある流体入口端の配管セグメントと流体出口端の配管セグメントとの間に、温度差がある流体が流れるとき、温度差の熱伝導が行われ、熱エネルギーの損失を避けることができる。
【０００５】
（発明の効果）
本発明の熱伝導シリンダーは、浅層地表または池、湖、川、海洋等の自然蓄熱体または人工的に設置された固相、または気相、または液相物体により構成された蓄熱体（５００）の中に設置される。また、Ｕ型コアパイプ及びループパイプの流体入口端及び／または出口端の配管セグメントは、直接断熱材料により構成される。または、二者の間に断熱構成を設置し、本発明の熱伝導シリンダーが構成される。
これにより、配管に温度差がある熱伝導流体が流れるとき、同側に隣り合っている入口端の配管セグメントと出口端の配管セグメントとの間に熱伝導が行われるために起きる熱エネルギーの損失を避けることができる。
【図面の簡単な説明】
【０００６】
【図１】Ｕ型配管（１００）を蓄熱体（５００）に設置する、従来の形態を示す説明図。
【図２】Ｕ型配管（１００）を柱状熱伝導体（３００）に設置し、かつ柱状熱伝導体（３００）に蓄熱体（５００）を設置する、従来の形態を示す説明図。
【図３】熱伝導柱体の中に二個または二個以上の輻射状に配列するＵ型配管を設置し、その軸芯の近くに集中して同じ流向の配管群の外側に断熱構成を設置する、本発明の第１実施形態の説明図。
【図４】図３の断面図。
【図５】複数のＵ型配管を共同して柱状熱伝導体（３００）のコアへ通じる所に設置し、相対的に大きな径の配管により共通配管（２００）の第１流体出入口端（１１０１）を構成する、本発明の第２実施形態の説明図。
【図６】図５の断面図。
【図７】Ｕ型波状配管（６００）の第１流体出入口端（１０１）と第２流体出入口端（１０２）との間にある配管セグメントが波状になって、柱状熱伝導体（３００）の軸方向に沿って、辺縁の近くに分布する、本発明の第３実施形態の説明図。
【図８】図７の断面図。
【図９】Ｕ型波状配管（６００）の第１流体出入口端（１０１）の配管セグメントを柱状熱伝導体（３００）中心の近くに設置し、第２流体出入口端（１０２）との間にある配管セグメントを柱状熱伝導体（３００）周辺の近くに設置し、二つの配管セグメントの間のＵ型波状配管（６００）が波状になって、柱状熱伝導体（３００）の軸方向に沿って、辺縁の近くに分布する、本発明の第４実施形態の説明図。
【図１０】図９の断面図。
【図１１】Ｕ型螺旋状配管の第１流体出入口端（１０１）と第２流体出入口端（１０２）との間にある螺旋配管セグメントが螺旋状になって、柱状熱伝導体（３００）の軸方向に沿って、辺縁の近くに分布する、本発明の第５実施形態の説明図。
【図１２】図１１の断面図。
【発明を実施するための形態】
【０００７】
以下、本発明の実施形態を図面に基づいて説明する。
（第１実施形態）
本発明の第１実施形態の熱伝導シリンダーは、浅層地表または池、湖、川、海洋等の自然蓄熱体または人工的に設置された固相、または気相、または液相物体により構成された蓄熱体５００の中に設置される。また、Ｕ型コアパイプ及びループパイプの流体入口端及び／または出口端の配管セグメントを直接断熱材料により構成される。または、二者の間に断熱構成を設置し、当該熱伝導シリンダーが構成される。
これにより、本実施形態の熱伝導シリンダーは、配管に温度差がある熱伝導流体が流れるとき、同側に隣り合っている入口端の配管セグメントと出口端の配管セグメントとの間に熱伝導が行われ、熱エネルギーの損失を避けることができる。
【０００８】
本実施形態の熱伝導シリンダーの各Ｕ型配管１００の中に、下記の少なくとも一種の熱伝導流体１１１が通過する。
１）液相流体。
２）気相流体。
３）液相から気相に変化する流体。
４）気相から液相に変化する流体。
【０００９】
ところで、従来のＵ型配管熱交換装置のＵ型配管装置は、同側に隣り合って設置される流体入口端の配管セグメントと流体出口端の配管セグメントとの間に、温度差がある流体が流れるとき、二者の間に常に温度差の熱伝導が行われ、熱エネルギーが損失する。下記に例を挙げて説明する。
【００１０】
まず、従来のＵ型配管１００を蓄熱体５００に設置する形態を図１に示す。
この場合、Ｕ型配管１００の第１流体出入口端１０１の配管セグメントと同側に隣り合って設置される第２流体出入口端１０２の近くの配管セグメントの熱伝導流体１１１との間に温度差があるとき、二者の間に熱伝導が行われ、熱エネルギーが損失する。
【００１１】
次に、従来のＵ型配管１００を柱状熱伝導体３００に設置し、かつ柱状熱伝導体３００を蓄熱体５００の中に設置する形態を図２に示す。
この場合、柱状熱伝導体３００が、浅層地表または池、湖、川、海洋等の自然蓄熱体または人工的に設置された固相、または気相、または液相物体により構成された蓄熱体５００中に設置される。また、Ｕ型管の第１流体出入口端１０１と第２流体出入口端１０２を流れる熱伝導流体１１１との間に温度差があるとき、同側に隣り合って設置された第１流体出入口端１０１の近くの配管セグメントと第２流体出入口端１０２の近くの配管セグメントとの間に熱伝導が行われ、熱エネルギーが損失する。
【００１２】
これに対し、本発明の第１実施形態の熱伝導シリンダーは、一種の浅層地表または池、湖、川、海洋等の自然蓄熱体または人工的に設置された固相、または気相、または液相物体により構成された蓄熱体５００の中に設置される。
本実施形態の熱伝導シリンダーは、輻射状に熱エネルギーを互いに伝送するＵ型管であり、Ｕ型流体配管入口端及び／または出口端の配管セグメントを直接断熱材料により構成し、または二者の間に断熱構成を設置し、本実施形態の熱伝導シリンダーを構成することにより、配管に温度差がある熱伝導流体が流れるとき、同側に隣り合っている入口端の配管セグメントと出口端の配管セグメントとの間に熱伝導が行われ、熱エネルギーの損失を避ける。
【００１３】
図３は、柱状熱伝導体の中に二個または二個以上の輻射状に配列するＵ型配管を設置し、またその軸芯の近くに集中して同じ流向の配管群の外側に断熱構成を設置する、本発明の第１実施形態の構成の説明図である。図４は図３の断面図である。図３及び図４の中の主な構成を下記に示す。
【００１４】
−−Ｕ型配管１００：熱伝導流体１１１を通過させるＵ型管状体により形成され、熱伝導流体１１１をその中に通過させる。Ｕ型配管１００は、固相物体または膠状物体により構成された柱状熱伝導体３００に設置される。各Ｕ型配管１００は第１流体出入口端１０１及び第２流体出入口端１０２を持つ。第１流体出入口端１０１の近くの配管セグメントを柱状熱伝導体３００のコアに集中して隣り合うように設置し、かつ第２流体出入口端１０２の近くの配管セグメントは、柱状熱伝導体３００の軸方向外側に沿って、辺縁の近く設置し、また輻射状に分布設置する。
【００１５】
−−柱状熱伝導体３００：熱伝導材料により構成され、かつ円形、または橢円形、または正方形、または長方形、または星形等の各種幾何形状の断面である柱状に構成され、かつＵ型配管１００及び断熱装置４００を被覆する。
【００１６】
−−断熱装置４００：断熱効果を持つ固体、または可撓体、または発泡体、または封入されたコロイド、または気体、または液体、または真空構造により構成される断熱構成である。柱状熱伝導体３００の軸芯に集中して隣り合うように設置する各Ｕ型配管１００の第１流体出入口端１０１の近くの配管セグメントと各Ｕ型配管の第２流体出入口端１０２の近くの配管セグメントとの間に設置される。または、第１流体出入口端１０１の近くの配管セグメントを直接または断熱材料または断熱材の外被材により製作する。
【００１７】
上述の断熱構成を通して、同一Ｕ型配管１００の同じ側にある第１流体出入口端１０１の近くの配管セグメントと第２流体出入口端１０２の配管セグメントとの間に熱伝導が行われるために起きる熱エネルギーの損失を大幅に減少させることができる。
【００１８】
本実施形態の熱伝導シリンダーにおいて、複数のＵ型配管を共同して柱状熱伝導体３００の軸芯へ通じる所に設置し、相対的に大きな径の配管により共通配管２００の第１流体出入口端１１０１を構成し、かつ柱状熱伝導体３００の軸方向の周辺に沿って、輻射状に第２流体出入口端１０２を設置することができる。次に説明する。
【００１９】
（第２実施形態）
図５は、複数のＵ型配管を共同して柱状熱伝導体３００のコアへ通じる所に設置し、相対的に大きな径の配管により共通配管２００の第１流体出入口端１１０１を構成する、本発明の第２実施形態の説明図である。図６は図５の断面図である。図５及び図６に主な構成を示す。本実施形態の主な構成は、次の通りである。
【００２０】
本実施形態は、熱伝導流体１１１を通過する少なくとも二個のＵ型管状体１００により形成され、熱伝導流体１１１をその中に通過させ、各Ｕ型配管１００を固相物体、または膠状物体により構成された柱状熱伝導体３００に設置する。
各Ｕ型配管１００を共同して柱状熱伝導体３００の軸芯へ通じる所に設置し、相対的に大きな径の配管により構成された共通配管２００の第１流体出入口端１１０１を構成し、及び柱状熱伝導体３００の軸方向の周辺に沿って、輻射状に第２流体出入口端１０２及び配管セグメントを設置する。
【００２１】
上述の共通配管２００の第１流体出入口端１１０１に柱状熱伝導体３００の軸芯を設置し、また各Ｕ型配管１００と第２流体出入口端１０２の近くの配管セグメントとの間に断熱装置４００を設置し、かつ各組Ｕ型配管１００の第２流体出入口端１０２の近くの配管セグメントは、別々に柱状熱伝導体３００の軸方向の辺縁の近くに分布する。
【００２２】
−−柱状熱伝導体３００：熱伝導材料により構成され、かつ円形、または橢円形、または正方形、または長方形、または星形等の各種幾何形状の断面である柱状に構成され、かつＵ型配管１００及び断熱装置４００を被覆する。
【００２３】
−−断熱装置４００：断熱効果を持つ固体、または可撓体、または発泡体、または封入されたコロイド、または気体、または液体、または真空構造により構成される断熱構成である。Ｕ型配管１００の第２流体出入口端１０２の近くの配管セグメントと共通配管２００の第１流体出入口端１１０１の近くの配管セグメントとの間に設置され、または第１流体出入口端１０１の近くの配管セグメントを直接または断熱材料または断熱材の外被材により製作する。
【００２４】
上述の構成を通して、共通配管２００の第１流体出入口端１１０１の配管セグメントと第２流体出入口端１０２の配管セグメントとの間に、熱伝導が行われるために起きる熱エネルギーの損失を避けることができる。
【００２５】
（第３実施形態）
図７は、Ｕ型波状配管６００の第１流体出入口端１０１と第２流体出入口端１０２との間にある配管セグメントが波状になって、柱状熱伝導体３００の軸方向に沿って、辺縁の近くに分布する、本発明の第３実施形態の説明図である。図８は図７の断面図である。図７及び図８に示したように、その主な構成は下記の通りである。
【００２６】
−−Ｕ型波状配管６００：熱伝導流体１１１を通過するＵ型波状管体により形成され、熱伝導流体１１１をその中に通過させる。Ｕ型波状配管６００は、固相物体、または膠状物体により構成された柱状熱伝導体３００に設置される。Ｕ型波状配管６００が、波状になって、柱状熱伝導体３００の軸方向の辺縁の近くに上下に波状に彎曲するように環設し、Ｕ型波状配管６００の二端は互いに連通する第１流体出入口端１０１及び第２流体出入口端１０２を持つことを特徴とする。
【００２７】
−−柱状熱伝導体３００：熱伝導材料により構成され、かつ円形、または橢円形、または正方形、または長方形、または星形等の各種幾何形状の断面である柱状に構成され、かつＵ型波状配管６００及び断熱装置４００を被覆する。
【００２８】
−−断熱装置４００：断熱効果を持つ固体、または可撓体、または発泡体、または封入されたコロイド、または気体、または液体、または真空構造により構成される断熱構成である。柱状熱伝導体３００の軸芯に集中して隣り合うように設置するＵ型波状配管６００の第１流体出入口端１０１の近くの配管セグメントとＵ型波状配管６００の第２流体出入口端１０２の近くの配管セグメントとの間に設置され、または第１流体出入口端１０１の近くの配管セグメントを直接または断熱材料または断熱材の外被材により製作する。
【００２９】
上述の断熱構成を通して、同一Ｕ型波状配管６００の同じ側にある第１流体出入口端１０１の近くの配管セグメントと第２流体出入口端１０２の配管セグメントとの間に熱伝導が行われるために起きる熱エネルギーの損失を大幅に減少することができる。
【００３０】
（第４実施形態）
図９は、Ｕ型波状配管６００の第１流体出入口端１０１の配管セグメントを柱状熱伝導体３００中心の近くに設置し、第２流体出入口端１０２の間にある配管セグメントを柱状熱伝導体３００の周辺の近くに設置し、二つの配管セグメントの間のＵ型波状配管６００が波状になって、柱状熱伝導体３００に沿って、軸方向の辺縁の近くに分布する、本発明の第４実施形態の説明図である。図１０は図９の断面図である。図９及び図１０に示したように、その主な構成は下記の通りである。
【００３１】
−−Ｕ型波状配管６００：熱伝導流体１１１を通過するＵ型波状管体により形成され、熱伝導流体１１１をその中に通過させ、Ｕ型波状配管６００を固相物体、または膠状物体により構成された柱状熱伝導体３００に設置する。Ｕ型波状配管６００は、波状になって、柱状熱伝導体３００の軸方向の辺縁の近くに上下に波状に彎曲するように環設される。
Ｕ型波状配管６００の二端は互いに連通する第１流体出入口端１０１及び第２流体出入口端１０２を持ち、その中の第１流体出入口端１０１の配管セグメントを柱状熱伝導体３００中心の近くに設置し、第２流体出入口端１０２との間にある配管セグメントを柱状熱伝導体３００周辺の近くに設置する。そして、二つの配管セグメントの間のＵ型波状配管６００が波状になって、柱状熱伝導体３００に沿って、軸方向の辺縁の近くに分布することを特徴とする。
【００３２】
−−柱状熱伝導体３００：熱伝導材料により構成され、かつ円形、または橢円形、または正方形、または長方形、または星形等の各種幾何形状の断面である柱状に構成され、かつＵ型波状配管６００及び断熱装置４００を被覆する。
【００３３】
−−断熱装置４００：断熱効果を持つ固体、または可撓体、または発泡体、または封入されたコロイド、または気体、または液体、または真空構造により構成される断熱構成である。柱状熱伝導体３００の軸芯に集中して隣り合うように設置するＵ型波状配管６００の第１流体出入口端１０１の近くの配管セグメントとＵ型波状配管６００の第２流体出入口端１０２の近くの配管セグメントとの間に設置され、または第１流体出入口端１０１の近くの配管セグメントを直接または断熱材料または断熱材の外被材により製作する。
【００３４】
上述の断熱構成を通して、同一Ｕ型波状配管６００の同じ側にある第１流体出入口端１０１の近くの配管セグメントと第２流体出入口端１０２の配管セグメントとの間に熱伝導が行われるために起きる熱エネルギーの損失を大幅に減少する。
【００３５】
（第５実施形態）
図１１は、Ｕ型螺旋状配管８００の第１流体出入口端１０１と第２流体出入口端１０２との間にある螺旋配管セグメントが螺旋状になって、柱状熱伝導体３００の軸方向に沿って、辺縁の近くに分布する、本発明の第５実施形態の説明図である。図１２は図１１の断面図である。図１１及び図１２に示したように、その主な構成は下記の通りである。
【００３６】
−−Ｕ型螺旋状配管８００：熱伝導流体１１１を通過するＵ型螺旋状管体により形成されることができ、熱伝導流体１１１をその中に通過させ、Ｕ型螺旋状配管８００を固相物体、または膠状物体により構成された柱状熱伝導体３００に設置する。Ｕ型螺旋状配管８００が螺旋状になって、柱状熱伝導体３００の軸方向の辺縁の近くに環設し、Ｕ型螺旋状配管８００の二端は互いに連通する第１流体出入口端１０１及び第２流体出入口端１０２を持ち、その中の第１流体出入口端１０１の配管セグメントを螺旋管構造の中心上端に設置し、かつＵ型螺旋状配管の中心配管７００を経て、直接Ｕ型螺旋状配管８００の底部へ通じ、また第２流体出入口端１０２をＵ型螺旋状配管８００が螺旋状になって、上へ向かってよじ登る上端に設置することを特徴とする。
【００３７】
−−柱状熱伝導体３００：熱伝導材料により構成され、かつ円形、または橢円形、または正方形、または長方形、または星形等の各種幾何形状の断面である柱状に構成され、かつＵ型螺旋状配管８００及び断熱装置４００を被覆する。
【００３８】
−−断熱装置４００：断熱効果を持つ固体、または可撓体、または発泡体、または封入されたコロイド、または気体、または液体、または真空構造により構成される断熱構成である。Ｕ型螺旋状配管８００を柱状熱伝導体３００の軸芯に設置し、上へ向かって第１流体出入口端１０１のＵ型螺旋状配管の中心配管７００の配管セグメントへ通じ、直接断熱材料または断熱材の外被材または断熱材料または断熱材の外被材により製作することができる。または、柱状熱伝導体３００の近くの辺縁に沿って、螺旋状になって、上方へよじ登り、流体第二出入口端１０２のＵ型螺旋状管路８００へ通じ、Ｕ型螺旋状管路８００の中心管路７００の管路段との間に断熱構成４００を設置する。
【００３９】
上述の断熱構成４００を通して、同一Ｕ型螺旋状管路８００の底部中心に設置された中心管路７００と、流体第二出入口端１０２に通じるＵ型螺旋状管路８００との、二者の間に熱伝導が行われるために起きる熱エネルギーの損失を大幅に減少することができる。
【符号の説明】
【００４０】
１００・・・Ｕ型配管
１０１・・・第１流体出入口端
１０２・・・第２流体出入口端
１１１・・・熱伝導流体
２００・・・共通配管
３００・・・柱状熱伝導体
４００・・・断熱装置
５００・・・蓄熱体
６００・・・Ｕ型波状配管
７００・・・Ｕ型螺旋状配管の中心配管
８００・・・Ｕ型螺旋状配管
【図１】
2011094952.tif 000003
【図２】
2011094952.tif 000004
【図３】
2011094952.tif 000005
【図４】
2011094952.tif 000006
【図５】
2011094952.tif 000007
【図６】
2011094952.tif 000008
【図７】
2011094952.tif 000009
【図８】
2011094952.tif 000010
【図９】
2011094952.tif 000011
【図１０】
2011094952.tif 000012
【図１１】
2011094952.tif 000013
【図１２】
2011094952.tif 000014